(57)【要約】【課題】  全体をシンプルな構造に形成すると共に、不使用時はコンパクトに折り畳むことができ、収納や運搬面において優れた利便性を発揮する座椅子を提供する。【解決手段】  座部２と背凭れ３を角度調節自在に連結した座椅子１において、前記座部２と前記背凭れ３との連結部分４に、前記背凭れ３を内側方向に折曲して、前記座部２と前記背凭れ３とを平行状態に維持することを可能とする連結具１０が装着されていることを特徴とする。前記連結具１０が、前記座部２の基端より傾斜状に立設したアーム１１と、該アーム１１の先端に装着された連結金具１２と、該連結金具１２の基端に設置された支持体１３と、を備えている。前記アーム１１は、座部２の基端より４５°の角度で立設され、前記支持体１３は前記アーム１１に９０°の角度で設置されている。【選択図】      図２
0003109451.tif 000002
【実用新案登録請求の範囲】
【請求項１】
座部と背凭れを角度調節自在に連結した座椅子において、前記座部と前記背凭れとの連結部分に、前記背凭れを内側方向に折曲して、前記座部と前記背凭れとを平行状態に維持することを可能とする連結具が装着されていることを特徴とする座椅子。
【請求項２】
前記連結具が、前記座部の基端より傾斜状に立設したアームと、該アームの先端に装着された連結金具と、該連結金具の基端に設置された支持体と、を備えている請求項１記載の座椅子。
【請求項３】
前記アームは、座部の基端より４５°の角度で立設され、前記支持体は前記アームに９０°の角度で設置されている請求項２記載の座椅子。
【考案の詳細な説明】
【技術分野】
【０００１】
本考案は、コンパクトに折り畳むことにより、収納や運搬面において優れた利便性を発揮する座椅子に関する。
【背景技術】
【０００２】
従来、使用方法が固定されるという従来の座椅子における欠点を解消し、より自由に多様な使用方法で利用でき、しかも安楽な座椅子が知られている（例えば特許文献１参照）。特許文献１の座椅子は、基部と、座部に回動自在に取り付けられた座部を有し、基部および座部のそれぞれに倒起自在にもたれ部を取り付けたことを特徴とするものである。
【特許文献１】特開平０９−２１５５４８号公報（第１−２頁、図１）
【考案の開示】
【考案が解決しようとする課題】
【０００３】
上掲特許文献１記載の座椅子では、座る姿勢が制約されず、補助もたれ部は足載せ台として使用でき、多様な使用が可能になるという効果を有するが、全体構造が複雑になりコスト高になると共に、本体形状も大型となり移動や収納面で多くの問題があった。
【０００４】
そこで、本考案の目的は、全体をシンプルな構造に形成すると共に、不使用時はコンパクトに折り畳むことができ、収納や運搬面において優れた利便性を発揮する座椅子を提供することにある。
【課題を解決するための手段】
【０００５】
上記課題を解決するために、本考案の座椅子は、座部と背凭れを角度調節自在に連結した座椅子において、前記座部と前記背凭れとの連結部分に、前記背凭れを内側方向に折曲して、前記座部と前記背凭れとを平行状態に維持することを可能とする連結具が装着されていることを特徴とする。また、前記連結具が、前記座部の基端より傾斜状に立設したアームと、該アームの先端に装着された連結金具と、該連結金具の基端に設置された支持体と、を備えていることが好ましい。さらに、前記アームは、座部の基端より４５°の角度で立設され、前記支持体は前記アームに９０°の角度で設置されていてもよい。
【考案の効果】
【０００６】
本考案に係る座椅子によれば、背凭れを内側方向に折曲して、前記座部と前記背凭れとを平行状態に維持することを可能とする連結具にて形成されているので、製造工程や材料費におけるコスト削減が可能となる。また、座部と背凭れとを平行状態に折曲させることで座椅子全体をコンパクトに折り畳むことができ、収納や運搬面において優れた利便性を発揮する。
【０００７】
また、前記アームは、座部の基端より４５°の角度で立設され、前記支持体は前記アームに９０°の角度で設置されているので、着座した状態で背凭れ３にもたれた場合、座椅子１全体が後方に転倒することを抑止することができる。さらに、支持体１３により座部２後方が延長された状態となり、着座中における安定性も高まる。
【考案を実施するための最良の形態】
【０００８】
以下、本考案に係る座椅子の好適実施の形態を図面に基づいて説明する。
図１は、本考案に係る座椅子１の全体斜視図、図２はその内部構造を示す斜視図である。座椅子１は、背凭れ３を座部２に対し角度調節自在に連結したもので、座部２と背凭れ３は、それぞれ形状化されたパイプ芯材５にて形成されている。座部２と背凭れ３の周囲には、緩衝性を有するウレタンフォームからなる中材６が配設されており、中材６の周囲にはカバー７が被覆されている。
【０００９】
座部２と背凭れ３との連結部分４には、図３および図４に示すように、背凭れ３を内側方向に折曲した場合、座部２と背凭れ３とを平行状態に折曲可能な連結具１０が装着されている。連結具１０は、座部２の基端より傾斜状に立設したアーム１１と、アーム１１の先端に装着された連結金具１２と、連結金具１２の基端に設置された支持体１３とを備える。
【００１０】
アーム１１は、座部２の基端を４５°の角度ａで緩やかに折り曲げることにより傾斜状に立設されることが好ましい。アーム１１の基端には、背凭れ３を角度調節自在に連結する連結金具１２が固定されており、連結金具１２には背凭れ３の基端が折曲自在に連結されている。
【００１１】
連結金具１２は、既存のラチェット金具を使用することができる。ラチェット金具は、その構造より、背凭れ３を段階的に屈曲させることができる。そのため、本考案に係る座椅子１を使用する場合、所望の角度に背凭れ３を折り曲げて着座することが可能となり、リラックス感や安定性が向上する。
【００１２】
支持体１３は、形状化したパイプ芯材５にて形成されており、夫々の連結金具１２間に跨設されている。また、支持体１３は、連結金具１２とアーム１１の接続部分に溶接により固定されている。さらに、支持体１３は、傾斜状のアーム１１に対して下方に９０°の角度ｂに配設されていることが好ましい。これにより、着座した状態で背凭れ３にもたれた場合、座椅子１全体が後方に転倒することを抑止することができる。さらにまた、支持体１３により座部２後方が延長された状態となり、着座中における安定性も高まる。
【００１３】
次に、本考案に係る座椅子の使用方法を図５の（ａ）（ｂ）（ｃ）に基づいて説明する。
（ａ）は背凭れ３を最後部に倒伏させた状態であり、この際、アーム１１と背凭れ３は直線状に一連に配設される。
（ｂ）は背凭れ３を床面に対して垂直状態に立設させた状態であり、座部２と背凭れ３とは、傾斜状のアーム１１を介して逆Ｌ字状に形成される。
（ｃ）は背凭れ３を内側方向に折曲させた状態であり、座部２は背凭れ３と平行状態に維持させる。この際、背凭れ３は、連結部１２の折り畳める内側角度の限度まで折曲された状態となる。これにより、背凭れ３が座部２の上面に折り重なった状態となり、座椅子１全体がコンパクトに形成され、収納や運搬面において優れた利便性が発揮される。
【図面の簡単な説明】
【００１４】
【図１】本考案に係る座椅子の一部切欠状態を示す全体斜視図である。
【図２】図１の座椅子の内部構造を示す全体斜視図である。
【図３】図１の座椅子の背凭れを座部の上面に平行状態に配設した状態を示す全体斜視図である。
【図４】図３の座椅子の内部構造を示す全体斜視図である。
【図５】背凭れの屈曲状態を示す内部構造の側面図である。
【符号の説明】
【００１５】
１    座椅子
２    座部
３    背凭れ
４    連結部分
５    パイプ芯材
６    中材
７    カバー
１０  連結具
１１  アーム
１２  連結金具
１３  支持体
【図１】
0003109451.tif 000003
【図２】
0003109451.tif 000004
【図３】
0003109451.tif 000005
【図４】
0003109451.tif 000006
【図５】
0003109451.tif 000007